(57)【要約】【課題】ドレンパンの吹出口付近を容易に固定することができるとともに風向板の撓みを容易に防止できる組立作業性の良い天井吊り形空気調和機を得る。【解決手段】風向を上下に変更する左右に長いベーン２と、熱交換器４の下方から吹出口９の範囲に渡って設けられ、熱交換器４の露を受けるドレンパン５と、ベーン２の左右の間を支える吹出口内９に配置するベーンサポート３とを備え、ベーンサポート３の上部をケース１の上面側に締結するとともに、ベーンサポート３の下部３ｂにネジ１２で締結するドレンパン５の上下に貫通した取付穴５ａの周囲に、ベーンサポート３の下部３ｂが嵌合する凹部５ｂを形成した。【選択図】図２
2008209065.tif 000002
【特許請求の範囲】
【請求項１】
内部に熱交換器を有する空気調和機本体の上面を形成するケースと、前記空気調和機本体の前部に左右に長く形成され、前記熱交換器で熱交換した空気を室内に吹き出す吹出口と、前記吹出口に配置され風向を上下に変更する左右に長いベーンと、前記熱交換器の下方に設けられたドレンパンと、前記ベーンの左右の間を支える前記吹出口内に配置するベーンサポートと、を備え、前記ベーンサポートの上部を前記ケースの上面側に固定するとともに、前記ベーンサポートの下部にネジで締結する前記ドレンパンの上下に貫通した取付穴の周囲に、前記ベーンサポートの下部が嵌合する凹部を形成したことを特徴とする天井吊り形空気調和機。
【請求項２】
前記ドレンパンの前記凹部をすり鉢形に形成したことを特徴とする請求項１記載の天井吊り形空気調和機。
【請求項３】
前記ドレンパンの前記凹部の先端部分に、先端に行くにしたがって広がるテーパーを形成したことを特徴とする請求項１記載の天井吊り形空気調和機。
【請求項４】
前記ベーンサポートの胴体部分を円柱形状に形成したことを特徴とする請求項１ないし請求項３のいずれか１項に記載の天井吊り形空気調和機。
【請求項５】
前記ベーンサポートの前記胴体部分を下部より細い円柱形状に形成したことを特徴とする請求項４に記載の天井吊り形空気調和機。
【発明の詳細な説明】
【技術分野】
【０００１】
この発明は、天井吊り形空気調和機のドレンパン取付け構造に関するものである。
【背景技術】
【０００２】
従来の天井吊り形空気調和機はドレンパンが、前方の吹出口付近の下部まで広く形成されたものがあった。（例えば、特許文献１参照）
また、従来の天井吊り形空気調和機は吹出し口に風向を上下に調節する左右に長い風向板を備えたものがあった。（例えば、特許文献２参照）
【０００３】
【特許文献１】特開平９−１３７９６０号公報（第３頁、図１）
【特許文献２】特開平１０−２７４４３２号公報（第２頁、図８）
【発明の開示】
【発明が解決しようとする課題】
【０００４】
従来の天井吊り形空気調和機は、吹出口の左右間が長く、ドレンパンの吹出口付近の左右の間を固定することが難しいという課題があった。また、吹出口の風向板が左右に長いため撓みやすいという課題があった。
【０００５】
この発明は、上記のような課題を解決するためになされたもので、ドレンパンの吹出口付近を容易に固定することができるとともに風向板の撓みを容易に防止できる組立作業性の良い天井吊り形空気調和機を得ることを目的としている。
【課題を解決するための手段】
【０００６】
この発明に係る天井吊り形空気調和機は、内部に熱交換器を有する空気調和機本体の上面を形成するケースと、前記空気調和機本体の前部に左右に長く形成され、前記熱交換器で熱交換した空気を室内に吹き出す吹出口と、前記吹出口に配置され風向を上下に変更する左右に長いベーンと、前記熱交換器の下方に設けられたドレンパンと、前記ベーンの左右の間を支える前記吹出口内に配置するベーンサポートと、を備え、前記ベーンサポートの上部を前記ケースの上面側に固定するとともに、前記ベーンサポートの下部にネジで締結する前記ドレンパンの上下に貫通した取付穴の周囲に、前記ベーンサポートの下部が嵌合する凹部を形成したものである。
【発明の効果】
【０００７】
この発明に係る天井吊り形空気調和機は、内部に熱交換器を有する空気調和機本体の上面を形成するケースと、前記空気調和機本体の前部に左右に長く形成され、前記熱交換器で熱交換した空気を室内に吹き出す吹出口と、前記吹出口に配置され風向を上下に変更する左右に長いベーンと、前記熱交換器の下方に設けられたドレンパンと、前記ベーンの左右の間を支える前記吹出口内に配置するベーンサポートと、を備え、前記ベーンサポートの上部を前記ケースの上面側に固定するとともに、前記ベーンサポートの下部にネジで締結する前記ドレンパンの上下に貫通した取付穴の周囲に、前記ベーンサポートの下部が嵌合する凹部を形成したので、ドレンパンの吹出口付近を容易に固定することができるとともに風向板の撓みも防止でき、組立作業性のよい天井吊り形空気調和機を得られるという効果がある。
【発明を実施するための最良の形態】
【０００８】
実施の形態１．
図１〜図４により説明する。図１はこの発明の実施の形態１における天井吊り形空気調和機の全体横断面図、図２はこの発明の実施の形態１の天井吊り形空気調和機の組立を説明する分解斜視図、図３はベーンサポートの取付けを説明する図２のＡ部の拡大図、図４はドレンパンのベーンサポートへの固定を説明する部分説明図である。
【０００９】
図１にて天井吊り込み形空気調和機の全体構成を説明する。天井吊り形空気調和機の空気調和機本体２０は天井に吊り下げて据え付けられる。この空気調和機本体２０の上面などを形成するケース１は略箱形状であり、このケース１が左右の吊り金具１ａで天井から吊下げられる。空気調和機本体２０の内部に設けられ、冷凍サイクル（図示せず）により室内空気を熱交換する左右に広い幅の熱交換器４は、ケース１の下にケース１の前後中央付近からケース１の前方部分に渡って設けられ、熱交換面積を広くできるように前方に行くに従って上方に傾斜するように斜めに配置している。そして、この熱交換器４の下には熱交換器４で生じる露を受けるドレンパン５が配置され、このドレンパン５も熱交換器４の下方を覆うように、左右に長く、かつケース１の前後中央付近からケース１前方の吹出口９付近の下部まで広く設けられている。
【００１０】
そして、ケース１の後方に配置した駆動モーター６によるファン７の回転により室内空気は、塵埃等を除去するフィルターを備えたグリル８ａが設置された吸込口８より吸い込まれ、熱交換器４にて熱交換された後、前方の吹出口９より室内に吹き出される。この吹出口９は左右に長く形成され、吹出口９の左右両側に上下に回動できるように軸支されて風向きを変える為の風向板であるベーン２を備えている。そして、ドレンパン５の下方及びケース１の左右側面には意匠パネル１０ａ〜１０ｃを取り付けるようにしている。
【００１１】
次にベーンサポート３について図２、図３により説明する。なお。図２、図３ではベーンサポート３の構成を説明するためがわかりやすいようにベーン２の一方のベーンサポート３付近を一部破断して示している。ベーンサポート３は吹出口９の左右間の２箇所に配置され、上部をベーンサポート３の上部に形成した取付部３ａにそれぞれ２個のネジ１１で吹出口９内のケース１の上部に締結して固定するとともに、下部３ｂ側にドレンパン５を締結固定し、ドレンパン５の吹出口９左右間をベーンサポート３を介してケース１に固定し、ドレンパン５をしっかりとケース１と固定することで、ドレンパン５が強固になるとともに空気調和機本体２０の吹出口９付近を強い構成にしている。また、ベーンサポート３の前部にはベーン２を支えるサポート片３ｃが設けられ、このサポート片３ｃの穴３ｄにベーン２の裏面に形成された回転軸２ａを挿入してベーン２の左右中間部分がベーンサポート３に回転可能に軸支され、ベーン２が風向を上下に変えられるようにスムーズに上下に回転できるとともに、ベーン２の左右中間部分が撓まないように支えるようにしている。つまり、この実施の形態ではベーン２の左右長さをほぼ３等分するように配置した２個のベーンサポート３でバランスよくベーン２を支えるようにしている。
【００１２】
また、ベーンサポート３のサポート片３ｃを形成した胴体部分３ｅを円柱状に形成し、ベーンサポート３が熱交換器４から吹出口９へと吹出される風の抵抗に極力ならないようにしている。また、ベーンサポート３のドレンパン５を締結する円柱状の下部３ｂには、ネジ締結用のネジ穴３ｆを形成するため、胴体部分３ｅより太く形成しているが、胴体部分３ｅは強度的に丈夫な範囲で細く円柱状に形成することで、さらに吹出口９から吹出される風の抵抗に極力ならないようにして、スムーズに風が吹出口９から吹出されるようにしている。
【００１３】
次に、ベーンサポート３の下部３ｂと締結するドレンパン５部分の形状について図４により説明する。図４ではドレンパン５を断面で表し、ベーンサポート３とネジ１２を斜視図で表している。図に示すようにドレンパン５のベーンサポート３の下部３ｂを締結するドレンパン５部分は、ドレンパン５を上下に貫通する取付穴５ａの周囲にベーンサポート３の下部３ｂがちょうど入り込むように下部３ｂとほぼ同じ大きさの凹部５ｂを形成し、ベーンサポート３の下部３ｂがこの凹部５ｂに嵌合することで、取付穴５ａの位置がベーンサポート３の下端に形成したネジ穴３ｆの位置に容易かつ確実に合うようにしている。また、ドレンパン５の取付穴５ａの凹部５ｂとの反対面側は締結するネジ１２の頭が隠れるように凹み５ｃを形成し、意匠パネル１０ａを取り付けやすくしている。
【００１４】
次に、空気調和機本体２０の組立て手順の概略について説明する。図２に示すように天井吊り込み形空気調和機本体２０は、据付時に天井面側となるケース１の上部を底面になるようにひっくり返して組立てられる。そして上下逆さまにしたケース１に２個のベーンサポート３の上部である取付部３ａを、それぞれ２個のネジ１１でケース１に締結する。そして、ドレンパン５を熱交換器４が取り付けられたケース１に蓋をするように取り付ける際、ベーンサポート３がドレンパン５の内側にあるためドレンパン５でベーンサポート３が見えないが、ベーンサポート３の下部３ｂとドレンパン５の凹部５ｂが嵌合することにより、ベーンサポート３の下部３ｂがドレンパン５の締結する位置に正しくセットされ、ベーンサポート３のネジ穴３ｆと、ドレンパン５の取付穴５ａの位置が確実に合いネジ穴合わせが容易になる。このため、ドレンパン５の吹出口９部分の左右間の固定を容易にでき、空気調和機の組立作業性を良くできる。また、ドレンパン５の前部の左右端部はケース１にネジ１３で締結し。ドレンパン５の後部は、ケース１の仕切板１ｂに引っ掛けるなどで固定されている。
【００１５】
また、ベーン２の左右中間部分をベーンサポート３によりサポート片３ｃの穴３ｄに軸支させてベーン２を吹出口９に上下回動できるように支持することで、左右に長いベーン３がねじれたり、撓まないように防止することができる。また、この例では空気調和機本体２０の吹出口９内にベーンサポート３を２個バランスよく配置したものを示したが、ベーン２や吹出口９の左右の長さなどの条件により１個又は３個以上設ける構成とすることもできる。
【００１６】
このように、内部に熱交換器４を有する空気調和機本体２０の上面を形成するケース１と、空気調和機本体２０の前部に左右に長く形成され、熱交換器４で熱交換した空気を室内に吹き出す吹出口９と、吹出口９に配置され風向を上下に変更する左右に長いベーン２と、熱交換器４の下方から吹出口９付近の範囲に渡って設けられ、熱交換器４の露を受けるドレンパン５と、ケース１の上面に上部３ａが固定されるとともにドレンパン５を下部３ｂに締結して吹出口９内に配置され、ベーン２の左右の間を支えるベーンサポート３とを備え、かつ、ベーンサポート３下部３ｂへのドレンパン５の締結を、ベーンサポート３の下端に形成したネジ穴３ｆと、ドレンパン５の上下に貫通したネジ穴３ｆに締結させる取付穴５ａと、ドレンパン５の取付穴５ａの周囲に形成されベーンサポート３の下部３ｂが嵌合する凹部５ｂとを設け、ドレンパン５の凹部５ｂをベーンサポート３の下部３ｂに嵌合させ、ドレンパン５をネジ１２で取付穴５ａを介してベーンサポート３ネジ穴３ｆに締結するようにしているので、ドレンパン５の吹出口９付近を容易に固定することができるとともにベーン２の撓みも防止でき、ドレンパン５及び吹出口９を強い構造にでき組立作業性もよいものが得られる。
【００１７】
次に、この発明の実施の形態１による他の例を説明する。図５はこの発明の実施の形態１による他の例を示す図４に相当するドレンパンのベーンサポートへの固定を説明する部分説明図である。なお、上記の例と同一又は相当部分には同一符号を付し、詳細な説明は省略する。また、記載以外の構造と動作及び効果は上記の例と同じである。上記の例ではドレンパン５のベーンサポート３との接続部の凹部５ｂを単に凹形状にしたものを示したが、この例ではドレンパン５の凹部５ｂをすり鉢形にしている。このように構成されたドレンパン５においては、ドレンパン５をケース１に蓋をするように取り付けるため、ベーンサポート３にドレンパン５の凹部５ｂを嵌合させる際に、すり鉢形状がガイドとなり、ベーンサポート３との合わせがさらに容易になる。
【００１８】
次に、この発明の実施の形態１による別の例を説明する。図６はこの発明の実施の形態１による他の例を示す図４に相当するドレンパンのベーンサポートへの固定を説明する部分説明図である。なお、上記の例と同一又は相当部分には同一符号を付し、詳細な説明は省略する。また、記載以外の構造と動作及び効果は上記の例と同じである。上記の例ではドレンパン５のベーンサポート３との接続部の凹部５ｂを単に凹形状にしたり、すり鉢形にしたものを示したが、この例ではドレンパン５のベーンサポート３に嵌合させる凹部５ｂの先端部分に、先端に行くにしたがって広がるようにしたテーパー５ｄを形成している。このように構成されたドレンパン５においては、ドレンパン５をケース１に蓋をする形で取り付けるため、ベーンサポート３とドレンパン５とを嵌合する際に、テーパー５ｄ部がガイドとなるためベーンサポート３との合わせがさらに容易となり、また凹部５ｂの円筒凹形状がベーンサポート３を固定する為、ネジ穴合わせがさらに容易となる。
【００１９】
上記の実施の形態のようにこの発明の天井吊り形空気調和機によれば、内部に熱交換器を有する空気調和機本体の上面を形成するケースと、前記空気調和機本体の前部に左右に長く形成され、前記熱交換器で熱交換した空気を室内に吹き出す吹出口と、前記吹出口に配置され風向を上下に変更する左右に長いベーンと、前記熱交換器の下方から前記吹出口付近の範囲に渡って設けられ、前記熱交換器の露を受けるドレンパンと、前記ベーンの左右の間を支える前記吹出口内に配置するベーンサポートと、を備え、前記ベーンサポートの上部を前記ケースの上面側に締結するとともに、前記ベーンサポート下部にネジで締結する前記ドレンパンの上下に貫通した取付穴の周囲に、前記ベーンサポートの下部が嵌合する凹部を形成したので、ドレンパンの吹出口部分を容易に固定することができるとともにベーンの撓みも防止でき、組立作業性のよいものが得られるという効果がある。
【００２０】
また、前記ドレンパンの前記凹部をすり鉢形に形成したものは、ベーンサポートとドレンパン凹部の位置合わせをさらに容易にできる。
また、前記ドレンパンの前記凹部の先端部分に、先端に行くにしたがって広がるテーパーを形成したものは、ベーンサポートとドレンパン凹部の位置合わせをさらに容易にできる。
また、前記ベーンサポートの胴体部分を円柱形状に形成したので、吹出口から吹出される風の抵抗にほとんどならないようにできる。
また、  前記ベーンサポートの前記胴体部分を下部より細い円柱形状に形成したので、さらに吹出口から吹出される風の抵抗にならないようにできる。
【図面の簡単な説明】
【００２１】
【図１】この発明の実施の形態１における天井吊り形空気調和機の全体横断面図である。
【図２】この発明の実施の形態１における天井吊り形空気調和機の組立を説明する分解斜視図である。
【図３】この発明の実施の形態１における天井吊り形空気調和機のベーンサポートの取付けを説明する図２のＡ部の拡大図である。
【図４】この発明の実施の形態１における天井吊り形空気調和機ドレンパンのベーンサポートへの固定を説明する部分説明図である。
【図５】この発明の実施の形態１における天井吊り形空気調和機の他の例を示す図４に相当するドレンパンのベーンサポートへの固定を説明する部分説明図である。
【図６】この発明の実施の形態１における天井吊り形空気調和機の別の例を示す図４に相当するドレンパンのベーンサポートへの固定を説明する部分説明図である。
【符号の説明】
【００２２】
１  ケース、１ａ  吊り具、１ｂ  仕切板、２  ベーン（風向板）、２ａ  回転軸、３  ベーンサポート、３ａ  取付部（上部）、３ｂ  下部、３ｃ  サポート片、３ｄ  軸止穴、３ｅ  胴体部分、３ｆ  ネジ穴、４  熱交換器、５  ドレンパン、５ａ  取付穴、５ｂ  凹部、５ｃ  凹み、５ｄ、テーパー、６  駆動モーター、７  ファン、８  吸込口、８ａ  グリル、９  吹出口、１０ａ  意匠パネル、１０ｂ  意匠パネル、１０ｃ  意匠パネル、１１  ネジ、１２  ネジ、１３  ネジ、２０  空気調和機本体。
【図１】
2008209065.tif 000003
【図２】
2008209065.tif 000004
【図３】
2008209065.tif 000005
【図４】
2008209065.tif 000006
【図５】
2008209065.tif 000007
【図６】
2008209065.tif 000008